(57)【要約】      （修正有）【課題】家庭の台所等から出る生ごみを処理する場合、溜められた生ごみの臭気が台所内に拡散し、手も汚れ、不快感がある。また生ごみを溜める容器を常時流し台に設置するため、設置占有スペースが調理作業のスペースを狭めている。不快な思いをせずに生ごみを廃棄し、調理作業スペースを広くする生ごみ入れを提供する。【解決手段】生ごみ収納容器１を可とう性シートで平板状に形成することにより、使用者は指で生ごみ投入口３ａを容易に広げて生ごみを投入し、投入後は元の形状すなわち平板状に回復しようとする力で閉鎖していくため、生ごみの量に合わせて収納容器１の膨らみを最小限に抑えられることで、空気に触れる面積を小さくして臭気の拡散も最小限に抑え、設置占有スペースも最小限で済み、調理作業の場所を広く確保することができる。【選択図】図１
2017036136.tif 000002
【特許請求の範囲】
【請求項１】
平板状容器部と、
前記平板状容器部の内側に設置する袋状の内挿体とを備え、
前記平板状容器部は、前面及び後面を形成する可とう性シートの底辺と両側の側面を繋ぎ、上辺に開口部を有し、
前記前面及び後面を形成する前記シートは可とう性により広げた前記開口部を閉じる方向に力が働き、前記開口部を形成した前面又は後面シートのうち、少なくとも一方に、
前記内側に設置された内挿体を係止するための係止手段を有することを特徴とする生ごみ入れ。
【請求項２】
前記前面及び後面シートのうち少なくとも一方の外側に、前記平板状容器部を立設するための差し込み部を有することを特徴とする請求項１記載の生ごみ入れ。
【請求項３】
前記係止手段は、前記平板状容器部の前記開口部を形成する前面又は後面シートのうち少なくとも一方の上辺から前記開口部中央部を避けて延設した２つの山形の張り出し部と、前記開口部中央部で前記２つの山形の張り出し部に挟まれた谷形引き込み部とからなり、
前記山形の張り出し部が前記平板状容器部の前記開口部の内側に折り込まれることで前記袋状の内挿体を係止し、
前記谷形引き込み部から前記袋状の内挿体に指を掛けて取り出せるようにしたことを特徴とする請求項１または請求項２記載の生ごみ入れ。
【請求項４】
前記袋状の内挿体は、２枚の四角形の紙から構成され、一方の四角形の紙を対向する辺の中央から少なくとも２回交互に折り畳んで形成される隣接する２辺が閉じた半袋状の部分の内側に、同様に折り畳んだ他方の紙を対向するように重ね、
前記半袋状の部分と、前記他方の折り畳んだ紙に形成される半袋状の部分とで、
袋状の空間を形成したものであることを特徴とする請求項１から３のいずれかに記載の生ごみ入れ。
【発明の詳細な説明】
【技術分野】
【０００１】
本発明は、家庭の台所等で使用する生ごみ入れに関するものである。
【背景技術】
【０００２】
従来の生ごみ収納容器には、流し台に常時吸着させて生ごみを収納するものがある（例えば、特許文献１参照）。
【０００３】
特許文献１の生ごみ収納容器は、流し台に常時吸着盤で吸着させた支持体に、新聞紙等の古紙を折り曲げて袋状に形成した生ごみ収納容器を差し込み、その中に生ごみを投入して生ごみ収納容器と共にごみ袋等に投棄して処分する。
【先行技術文献】
【特許文献】
【０００４】
【特許文献１】特開２００４−１８９４６３号  公報
【発明の概要】
【発明が解決しようとする課題】
【０００５】
以上に述べた従来の生ごみ収納容器では、開口部の形状が固定されており、投入された生ごみから発生する臭気が台所内に拡散しやすく、また生ごみ収納容器を設置するスペースが必要なため、調理時には収納容器の設置占有スペースが調理作業の場所を狭めるという問題がある。
【０００６】
本発明は、このような従来の構成が有していた問題を解決しようとするものであり、投入された生ごみから発生する臭気を最小限に抑え、かつ生ごみ収納容器を設置するスペースも最小限に狭めて調理作業の場所を広げることを目的とするものである。
【課題を解決するための手段】
【０００７】
請求項１に記載の発明は、平板状容器部と、
前記平板状容器部の内側に設置する袋状の内挿体とを備え、
前記平板状容器部は、前面及び後面を形成する可とう性シートの底辺と両側の側面を繋ぎ、上辺に開口部を有し、
前記前面及び後面を形成する前記シートは可とう性により広げた前記開口部を閉じる方向に力が働き、前記開口部を形成した前面又は後面シートのうち、少なくとも一方に、
前記内側に設置された内挿体を係止するための係止手段を有することを特徴とする生ごみ入れである。                                                                    前記平板状容器が可とう性シートで形成されていることで、使用者は指で生ごみ投入口を容易に広げて生ごみを投入でき、投入後は元の形状すなわち平板状に回復しようとする力で閉鎖していくため、ごみの量に合わせて収納容器の膨らみを最小限に抑えるという作用がある。
【０００８】
請求項２に記載の発明は、前記前面及び後面シートのうち少なくとも一方の外側に、前記平板状容器部を立設するための差し込み部を有することを特徴とする生ごみ入れである。
前記差し込み部に支持体を差し込んで、前記平板状容器部を立設できるようにすることで、設置占有スペースを最小限で済ませ、調理作業の場所を広く確保できるという作用がある。
【０００９】
請求項３に記載の発明は、前記係止手段は、前記平板状容器部の前記開口部を形成する前面又は後面シートのうち少なくとも一方の上辺から前記開口部中央部を避けて延設した２つの山形の張り出し部と、前記開口部中央部で前記２つの山形の張り出し部に挟まれた谷形引き込み部とからなり、
前記山形の張り出し部が前記平板状容器部の前記開口部の内側に折込まれることで前記袋状の内挿体を係止し、
前記谷型引き込み部から前記袋状の内挿体に指を掛けて取り出せるようにしたことを特徴とする生ごみ入れである。
前記係止手段により、前記袋状の内挿体の生ごみ投入口がわかりやすく、前記山形張り出し部の間の前記谷形引き込み部より覗く内挿体に指を掛けて引っ張り出すことで、前記係止手段より素早く外せるという作用がある。
【００１０】
請求項４に記載の発明は、前記袋状の内挿体は、２枚の四角形の紙から構成され、一方の四角形の紙を対向する辺の中央から少なくとも２回交互に折り畳んで形成される隣接する２辺が閉じた半袋状の部分の内側に、同様に折り畳んだ他方の紙を対向するように重ね、前記半袋状の部分と、前記他方の折り畳んだ紙に形成される半袋状の部分とで、袋状の空間を形成したものであることを特徴とする生ごみ入れである。
前記袋状の内挿体を吸水性、吸湿性に優れた新聞紙等の紙で作ると、生ごみの水分を吸収するという作用がある。
【発明の効果】
【００１１】
本発明の生ごみ入れは、平板状容器が可とう性シートで形成されていることにより、使用者は指で生ごみ投入口を容易に広げて生ごみを投入でき、投入後は元の形状すなわち平板状に回復しようとする力で閉鎖していくため、ごみの量に合わせて収納容器の膨らみを最小限に抑えられることで、空気に触れる面積を小さくして臭気の拡散も最小限に抑えることに加え、立設できるようにすることで設置占有スペースも最小限で済み、調理作業の場所を広く確保できる。
また係止手段により、袋状の内挿体の生ごみ投入口がわかりやすく、山形張り出し部の間の谷形引き込み部より覗く内挿体に指を掛けて引っ張り出すことで、係止手段より素早く外し、平板状容器より袋状の内挿体を簡単に取り出すことができる。
また、袋状の内挿体を吸水性、吸湿性に優れた新聞紙等の紙で作ると、生ごみの水分を吸収し、かつ生ごみに触れずに簡単に素早く処理することができる。
【図面の簡単な説明】
【００１２】
【図１】本発明に係る生ごみ入れの全体図を示す。
【図２】平板状容器部の正面図を示す。
【図３】平板状容器部の後面図を示す。
【図４】平板状容器部を立設するための支持体を示す。
【図５】袋状の内挿体を示す。
【図６】袋状内挿体の折り畳み図１を示す。
【図７】袋状内挿体の折り畳み図２を示す。
【図８】袋状内挿体の折り畳み図３を示す。
【図９】袋状内挿体の折り畳み図４を示す。
【図１０】袋状内挿体の折り畳み図５を示す。
【図１１】袋状内挿体の組み合わせ図を示す。
【図１２】生ごみ投入時の説明図を示す。
【図１３】内挿体取出時の説明図を示す。
【図１４】廃棄手順の説明図を示す。
【図１５】廃棄形の説明図を示す。
【発明を実施するための形態】
【００１３】
以下、本発明の実施の形態を説明する。この発明の実施の形態は、発明の最も好ましい形態を示すものであり、この発明はこれに限定されない。
【００１４】
この実施の形態の生ごみ入れを、図１から図５に基づいて説明する。図１は袋状の内挿体３を設置した生ごみ入れ全体を示した図であり、図２は平板状容器部１の正面図であり、図３は平板状容器部１の後面図であり、図４は平板状容器部１を立設する支持体４を示した図であり、図５は袋状の内挿体３を示したものである。
【００１５】
図１は、本発明を使用する時の状態を示した全体図であり、正面斜め上から見たものである。平板状容器部１の開口部１ａから挿入した袋状の内挿体３が設置されており、前記袋状の内挿体３の投入口３ａの片側は係止手段２で押さえられていることを示している。また平板状容器部１は支持体４で立設させていることも示している。
【００１６】
図２は、平板状容器部１を正面斜め上から見たものを示している。平板状容器部１は、前面シート１１及び後面シート１２を形成する可とう性シートの底辺１７と両側の側面１８を繋いだ袋状の容器であり、開口部１ａを形成する後面シート１２の上辺１３に、係止手段２を備えている。係止手段２は、開口部１ａを形成する後面シート１２の上辺１３の中央部を避けて延設した２つの山形の張り出し部２１ａ及び２１ｂを前記開口部１ａの内側に折込むことで形成されており、前記２つの山形の張り出し部２１ａ及び２１ｂに挟まれた部分である谷形の引き込み部２２を設けることで、図１の前記袋状の内挿体３に指を掛けて取り出せるようにしている。
平板状容器部１の素材は、可とう性を持つシートが形成できるものであればどのようなものでもよいが、ポリプロピレン等の合成樹脂を用いると、キッチン周りを明るくする様々な柄を印刷することもできる。
また平板状容器部１のサイズは、Ａ４サイズの紙を出し入れできる寸法として例えば２２０ｍｍ×３１０ｍｍとすると、袋状の内挿体３を構成する紙として新聞紙を用いた場合に、図６から図１１で説明する方法で構成した場合に好適なサイズとなる。
【００１７】
図３に平板状容器部１の後面を斜め下から見たものを示す。後面シート１２には図４に示す支持体４の立ち上がり部４１を差し込む差し込み口１ｂを底辺中央に有した差し込み部１４があり、差し込み部１４の両側辺１５は、差し込み部１４に差し込まれた支持体４の立ち上がり部４１が中で移動しないように接着されている。差込み部１４の上辺１３側は閉じられていても開いていてもよいが、図３では閉じられているものを示している。
【００１８】
図４に生ごみ入れを立設させる支持手段の一つの例を示す。支持体４は平板状容器部１の後面シート１２の差し込み部１４に差し込む立ち上がり部４１と、平板状容器部１を縦に支える底面部４２を有するＬ字またはＴ字形である。支持体４の材料は、Ｌ字またはＴ字に加工可能であり、また平板状容器部１を支持するため折れ曲がりにくいものであればどのようなものでもよいが、スチール等の鋼材や合成樹脂製硬材などを使用すれば、個々の調理環境に合わせられるよう着色が可能となる。
【００１９】
図５に袋状の内挿体３の構造を示す。図６から図１１までに説明する折り方で折り畳まれ、隣接する２辺が閉じた半袋状の部分７１を形成する紙７の半袋状の部分７１の内側に、同様に折り畳まれた紙６を対向するように重ね、前記半袋状の部分７１と、前記紙６に形成されている半袋状の部分６１とで、投入口３ａを持つ袋状の空間を形成している。
ここで、紙６及び紙７に新聞紙を用いる場合の半袋状の部分６１および７１を形成する折り方を図６から図１１を用いて説明する。
初めに図６に示すように１枚または２枚重ねの新聞紙５を全開状態にする。点線は当初より新聞紙５に形成されている縦および横方向の折れ目である。新聞紙５の左部５１を右側に折り返し半分に折る。
【００２０】
図７に示すように半分になった新聞紙５の下部５２を上部に折り返し、新聞紙５を４分の１の大きさに折る。
【００２１】
図８に示すように４分の１になった新聞紙５の左部５３をさらに右側に折り返し、新聞紙５を８分の１の大きさに折る。
【００２２】
図９に示すように８分の１の大きさになった新聞紙５を逆時計回りに９０度回転させ横長にして図１０に示す紙６の状態にする。新聞紙を用いた場合、図１０の紙６のサイズは横Ａ４サイズ程の大きさとなる。
【００２３】
図１１に示すように、同じ手順（図６〜図１０）でつくった別の紙７を横方向に表裏ひっくり返して紙６の左横に並べ、紙７の半袋状の部分７１に、紙６を差し込む。
【００２４】
図５に示すように、差し込んだ紙６の半袋状の部分６１と紙７の半袋状の部分７１の部分とで袋状内挿体３が形成される。
【００２５】
そして図１に示すように、図５に示した袋状の内挿体３を平板状容器部１の内側に差し入れ、係止手段２で袋状の内挿体３を押さえることにより生ごみを投入する投入口３aが明示され完成となる。
【００２６】
本発明に係る生ごみ入れを使用するときは、図１２に示すように前面シート１１の上辺１９に指を掛け、手前に引くようにして投入口３ａを広げて生ごみを投入して溜めていき、生ごみが７〜８割になったら係止手段２の谷形引き込み部２２から見える袋状の内挿体の可視部３１に図１３に示すように指を掛け、引き出して係止手段２より外し、平板状容器部１から袋状内挿体３を取り出す。
【００２７】
そして図１４に示すように、袋状の内挿体３の折り曲げ部３２を広げ、生ごみが入っている投入口３a側を手で押さえ、袋状の内挿体折り曲げ部３２方向へ生ごみを潰しながら図１５に示すような円筒状に丸めた袋状内挿体廃棄形８にして、最終ごみ袋へ投棄する。
【符号の説明】
【００２８】
１  平板状容器部
１ａ  開口部
１ｂ  差し込み口
１１  前面シート
１２  後面シート
１３  後面シート上辺
１４  差し込み部
１５  差し込み部両側
１７  底辺
１８  側面
１９  前面シート上辺
２  係止手段
２１ａ  山形張り出し部
２１ｂ  山形張り出し部
２２  谷形引き込み部
３  袋状の内挿体
３ａ  投入口
３１  可視部
３２  折り曲げ部
４  支持体
４１  立ち上がり部
４２  底面部
５  新聞紙
５１  新聞紙５左部
５２  新聞紙５下部
５３  新聞紙５（４分の１）左部
６  紙
６１  紙６半袋状の部分
７  紙
７１  紙７の半袋状の部分
８  袋状内挿体廃棄形
【図１】
2017036136.tif 000003
【図２】
2017036136.tif 000004
【図３】
2017036136.tif 000005
【図４】
2017036136.tif 000006
【図５】
2017036136.tif 000007
【図６】
2017036136.tif 000008
【図７】
2017036136.tif 000009
【図８】
2017036136.tif 000010
【図９】
2017036136.tif 000011
【図１０】
2017036136.tif 000012
【図１１】
2017036136.tif 000013
【図１２】
2017036136.tif 000014
【図１３】
2017036136.tif 000015
【図１４】
2017036136.tif 000016
【図１５】
2017036136.tif 000017